(57)【要約】【課題】  止水弁の二次側に複数個以上の吐水装置を備えていても、止水操作時に直ちに吐水を停止することのできる給水システムを提供すること。【解決手段】  天井用シャワーノズル４０ａ，４０ｂ，４０ｃ，４０ｄと、止水弁２２とが備えられ、天井用シャワーノズル４０ａ，４０ｂ，４０ｃ，４０ｄ毎に分岐されそれぞれが互いに連通接続される分岐配管部３８ａ，３８ｂ，３８ｃ，３８ｄが設けられるとともに天井用シャワーノズル４０ａ，４０ｂ，４０ｃ，４０ｄと止水弁２２とを連通接続する吐水装置用配管３９が備えられ、分岐配管部３８ａ，３８ｂ，３８ｃ，３８ｄが天井用シャワーノズル４０ａ，４０ｂ，４０ｃ，４０ｄよりも鉛直方向上方に配設された給水システム１において、天井用シャワーノズル４０ａ，４０ｂ，４０ｃ，４０ｄのそれぞれに、逆止弁ユニット８０を内蔵した。【選択図】    図１
2012210242.tif 000002
【特許請求の範囲】
【請求項１】
湯水を吐水する複数個以上の吐水装置と、該吐水装置への湯水の供給と吐止水を行う止水弁とが備えられ、
前記吐水装置毎に分岐されそれぞれが互いに連通接続される分岐配管部が設けられるとともに前記複数個以上の吐水装置と前記止水弁とを連通接続する吐水装置用配管が備えられ、
前記吐水装置用配管の少なくとも一部は、前記吐水装置よりも鉛直方向上方に配設された給水システムであって、
前記各吐水装置毎に、前記分岐配管部又は前記分岐配管部の二次側に逆止弁が設けられたことを特徴とする給水システム。
【請求項２】
前記逆止弁が、前記吐水装置に内蔵されたことを特徴とする請求項１に記載の給水システム。
【請求項３】
前記吐水装置が、トップシャワーに用いられるものであることを特徴とする請求項１又は請求項２に記載の給水システム。
【請求項４】
前記吐水装置が、プールに入る前に利用者が身体を洗浄する際に利用者の上方から湯・水を吐出するプール洗体シャワーの天井用シャワーノズルであることを特徴とする請求項１又は請求項２に記載の給水システム。
【請求項５】
前記逆止弁がユニット化され、前記吐水装置に内蔵されたことを特徴とする請求項１から請求項４のいずれかに記載の給水システム。
【発明の詳細な説明】
【技術分野】
【０００１】
本発明は給水システムに関する。
【背景技術】
【０００２】
従来、２以上の吐水装置を備えた給水システムが知られている。例えば、吐水範囲を大きくとって十分に吐水や散水等を浴びることができるようにするために、複数のミストシャワーを備えたシャワー装置や複数の噴霧シャワー吐水口を備えた給水システムが知られている（特許文献１、２参照）。
【先行技術文献】
【特許文献】
【０００３】
【特許文献１】特開平４−２６３８１４号報（図１、図２等）
【特許文献２】特開平６−１４２００１号公報（図１、図２等）
【発明の概要】
【発明が解決しようとする課題】
【０００４】
しかしながら、このような従来の給水システムでは、以下のような問題があった。これらの給水システムでは、複数のミストシャワーや噴霧シャワー吐水口等（以下、「吐水装置」とする）を開閉する止水弁と各吐水装置とが配管によって接続されているが、止水時に、いずれかの吐水装置からエアを吸い込んだ結果、別の吐水装置から、止水時において止水弁より二次側の配管内に滞留していた湯水が流れ落ちることとなってしまっていた。このため、止水操作をしても直ちに止水がなされないこととなり、また、複数の吐水装置に接続するように取り回されるため流路が長くなった配管中の大量の湯水が流れ落ちるため、止水不良が生じているものと使用者が誤認をするおそれがあった。
【０００５】
本発明は前述した従来の給水システムの問題点を解決するものであり、止水弁の二次側に複数個以上の吐水装置を備えていても、止水操作時に直ちに吐水を停止することのできる給水システムを提供することを目的とする。
【課題を解決するための手段】
【０００６】
本発明の第一の手段は、
湯水を吐水する複数個以上の吐水装置と、該吐水装置への湯水の供給と吐止水を行う止水弁とが備えられ、
前記吐水装置毎に分岐されそれぞれが互いに連通接続される分岐配管部が設けられるとともに前記複数個以上の吐水装置と前記止水弁とを連通接続する吐水装置用配管が備えられ、
前記吐水装置用配管の少なくとも一部は、前記吐水装置よりも鉛直方向上方に配設された給水システムであって、
前記各吐水装置毎に、前記分岐配管部又は前記分岐配管部の二次側に逆止弁が設けられたことを特徴とするものである。
【０００７】
複数個以上の吐水装置が備えられ、これらの各吐水装置に、互いに連通接続される分岐配管部を備える吐水装置用配管を介して止水弁が連通接続される給水システムにおいて、分岐配管部を含む吐水装置用配管の少なくとも一部が吐水装置よりも鉛直方向上方寄りに配設される場合がある。このような給水システムにおいては、止水時に、いずれかの吐水装置からエアを吸い込み、別の吐水装置から、止水時において止水弁より二次側の配管内に滞留していた湯・水の一部又は全部が流れ落ちることとなってしまう。しかしながら、本発明の給水システムにおいては、複数個以上の各吐水装置毎に、分岐配管部又は分岐配管部の二次側に逆止弁が設けられているので、止水弁による止水時においても、吐水装置毎に滞留水の流下を防止することができる。よって、いずれの吐水装置からもエアの吸い込みを防止でき、したがって、いずれの吐水装置についても湯水の流れ落ちを回避し直ちに止水を行うことができる。
【０００８】
ここで、本発明において「吐水装置」は、通常の吐水口、シャワー装置、ミストシャワー装置、噴霧シャワー装置等の吐水を行う装置を広く含む主旨である。また、吐水装置用配管の少なくとも一部が吐水装置よりも鉛直方向上方寄りに配設されていなければ、前述したような滞留水の流下がそもそも生じないが、「前記吐水装置用配管の少なくとも一部は、前記吐水装置よりも鉛直方向上方に配設された給水システム」であれば、前述のような滞留水の流下が生じ得る。よってまた、分岐配管部を含む吐水装置用配管のうちのいずれかの部位において少なくとも吐水装置よりも鉛直方向上方に位置することになっていれば、本発明の適用により、止水弁より二次側の滞留水の一部又は全部の流下を防止することができる。また、全ての吐水装置について滞留水の流下を防止するためには、それぞれの吐水装置毎に、分岐配管部又は分岐配管部の二次側に逆止弁を設ければ良い。よって分岐配管部、吐水装置又は分岐配管部と吐水装置との間に、逆止弁を設けるなどとすれば良い。
【０００９】
本発明の第二の手段は、前述の給水システムにおいて、
前記逆止弁が、前記吐水装置に内蔵されたことを特徴とするものである。
【００１０】
各吐水装置に逆止弁を内蔵することとしたので、配管類はそのままにして吐水装置の交換のみで前述した滞留水の流下を防止することができる。また、配管類に逆止弁を設ける場合に比べて、給水システムの二次側末端の吐水装置に逆止弁を内蔵しているので、逆止弁のメンテナンスを容易に行うことができる。
【００１１】
本発明の第三の手段は、前述の第一又は第二の手段の給水システムにおいて、
前記吐水装置が、トップシャワーに用いられるものであることを特徴とするものである。
【００１２】
「トップシャワー」とは、利用者の身体全体への散水を目的として、一般的な利用者の身体上部付近より高い位置から散水可能な高さに配設されたシャワー装置を指す。このようなトップシャワーを備える従来の給水システムでは、止水操作が行われても利用者の身体上部よりも高い位置から滞留水の流下が生じるため、利用者が不必要に散水を浴び、また、上方から滞留水が流下するため、止水不良であるとの誤認を受けやすいのであるが、本発明を適用することにより、トップシャワーにおいて特に問題となりやすい滞留水の流下及び止水不良との誤認を防止することができる。
【００１３】
本発明の第四の手段は、前述の第一又は第二の手段の給水システムにおいて、
前記吐水装置が、プールに入る前に利用者が身体を洗浄する際に利用者の上方から湯・水を吐出するプール洗体シャワーの天井用シャワーノズルであることを特徴とするものである。
【００１４】
プール洗体シャワーには多数の天井用シャワーノズルが備えられ、止水弁からそれらの天井用シャワーノズルに接続するための配管が長く引き回されるため止水時に大量の湯・水が滞留する。そして、止水時にこの大量の滞留水が天井方向から流れ落ちるため、特に問題となりやすい。よって、本発明を適用することによりこの問題点を大きく改善することができる。
【００１５】
本発明の第五の手段は、前述の第二から第三の手段の給水システムにおいて、
前記逆止弁がユニット化され、前記吐水装置に内蔵されたことを特徴とするものである。
【００１６】
吐水装置に内蔵される逆止弁を逆止弁ユニット等ユニット化されたものを用いることにより、逆止弁のメンテナンスを容易に行うことができる。
【発明の効果】
【００１７】
本発明の給水システムは前述のように構成されているので、止水弁による止水時に、直ちに止水を行うことができ、また、止水不良との誤認を受けるおそれを減少させることができる。また、特に第二・第五の手段の給水システムにおいては、逆止弁を吐水装置に内蔵することとしたので、吐水装置を変更するだけで既存の給水システムにおいても同様の効果を得ることができ、また、逆止弁のメンテナンスコストを低減させることができる。
【図面の簡単な説明】
【００１８】
【図１】本発明の給水システムの概要を示す給水システムの正面側概要図である。
【図２】図１の給水システムの天井用シャワーノズル周りの斜視図である。
【図３】図２の天井用シャワーノズルの正面視断面図である。
【図４】図２の天井用シャワーノズルの底面図である。
【図５】別の給水システムの構成図である。
【図６】さらに別の給水システムの構成図である。
【発明を実施するための形態】
【００１９】
次に、本発明の実施の形態を図を参考にして詳細に説明する。図１に示されるように、本実施の形態の給水システム１は、プールを利用する前に、利用者が身体を洗浄するためのプール洗体シャワーとして用いられるものである。しかしながら、本発明の給水システムは、シャワー以外の通常の吐水口、ミストシャワー、浴室に用いられるシャワー装置等、その他の種々の吐水装置を備えたものや、種々の給水システムに適用することが可能である。
【００２０】
給水システム１の構成の概要は以下の通りである。給水システム１は、プールの利用者が、入口５方向（図１の左側寄り）から出口６方向（図１の右側寄り）に向かって自足歩行する途中に、天井２に設置された熱感知センサー３が利用者を検知して、所定時間、本発明の「吐水装置」に相当する天井用シャワーノズル４０ａ，４０ｂ，４０ｃ，４０ｄから散水を行って利用者の身体を洗浄するものである。
【００２１】
給水システム１は、機械室１０に設置された給湯ユニット１２等が制御盤（図示省略）により制御されて吐止水を行うように構成されている。給湯ユニット１２には、シャワーエリア１１に設置されて電磁駆動される止水弁２２に連通される配管１６が接続されている。配管１６は、機械室１０からシャワーエリア１１の天井２の裏側に引き回されており、天井用シャワー本体３２に連通される止水弁２２に接続されている。
【００２２】
また、止水弁２２には、天井シャワー配管３０が接続されており、この天井シャワー配管３０の他端側には天井用シャワー本体３２が接続されている。図１、図２にも示されるように、天井用シャワー本体３２には、天井シャワー配管３０に接続される接続部３４と、接続部３４に連通接続されるとともに平面視矩形状に周回して配設される周回配管部３６と、周回配管部３６の４つの角部から下方に連通して垂設される分岐配管部３８ａ，３８ｂ，３８ｃ，３８ｄと、天井２の表側に露呈される分岐配管部３８ａ，３８ｂ，３８ｃ，３８ｄの先端にそれぞれ接続された天井用シャワーノズル４０ａ，４０ｂ，４０ｃ，４０ｄが備えられている。本例においては、止水弁２２の二次側のうち、天井シャワー配管３０、接続部３４、周回配管部３６及び分岐配管部３８ａ，３８ｂ，３８ｃ，３８ｄが本発明に言う吐水装置用配管３９に相当する。
【００２３】
本実施の形態では、前述の通り分岐配管部３８ａ，３８ｂ，３８ｃ，３８ｄが互いに連通されており、本発明に言う「吐水装置毎に分岐されるとともにそれぞれが互いに連通接続される分岐配管部」とされている。また、止水弁２２から二次側の吐水装置用配管３９の全てが、本発明に言う「吐水装置（天井用シャワーノズル４０ａ，４０ｂ，４０ｃ，４０ｄ）よりも鉛直方向上方に配設」されたものとなっている。ここで、本発明に言う「前記吐水装置用配管の少なくとも一部は、前記吐水装置よりも鉛直方向上方に配設された」とは、給水システム１の例に限られず、例えば、図５に示されるように、止水弁Ａは吐水装置Ｂよりも鉛直方向下方にあるが、吐水装置用配管Ｃの一部が吐水装置Ｂよりも鉛直方向上方に配設されている態様や、図６に示されるように、吐水装置Ｂは床面Ｄ下に配設されており吐水装置用配管Ｃの大部分は床面Ｄ下、すなわち吐水装置Ｂよりも鉛直方向下方に配設されているが、止水弁Ａから垂下する吐水装置用配管Ｃの一部は吐水装置Ｂよりも鉛直方向上方に配設されている態様等においても、分岐配管部Ｅ又は分岐配管部Ｅの二次側に逆止弁Ｆを設けることとすれば、後述するように、止水弁Ａの止水操作時にも、いずれかの吐水装置Ｂから、止水弁Ａの二次側の滞留水の一部又は全部が流下してしまうことを防止することができる。
【００２４】
また、天井用シャワー本体３２よりもシャワーエリア１１の入口５寄り（図１における左側寄り）の天井２には、利用者Ａを検知して天井用シャワーノズル４０ａ，４０ｂ，４０ｃ，４０ｄ等からの吐水を開始させるための二つの熱感知センサー３が設けられている。
【００２５】
次いで、天井用シャワーノズル４０ａ，４０ｂ，４０ｃ，４０ｄについて説明する。天井用シャワーノズル４０ａ，４０ｂ，４０ｃ，４０ｄは、天井２から利用者に向けて吐水されるように設けられており、いわゆる「トップシャワー」の一種として用いられる。共通する構成を採用する各天井用シャワーノズル４０ａ，４０ｂ，４０ｃ，４０ｄの詳細について、図３及び図４に示されるように、天井用シャワーノズル４０ａを例にとって説明する。天井用シャワーノズル４０ａは、その内部に逆止弁ユニット８０を取り外し自在に内蔵して、その先端に取り付けられたシャワーフェイス７２からシャワー散水を吐出させるものである。
【００２６】
天井用シャワーノズル４０ａには、天井用シャワー本体３２の分岐配管部３８ａの先端に接続される第一ジョイント４２と、この第一ジョイント４２に螺着固定される第二ジョイント５０と、両ジョイント４２，５０が組み付けられて形成される収容室５７内に取り外し自在に内蔵される逆止弁ユニット８０と、球状に形成された第二ジョイント５０の接続部５４の先端側にナット６２によって首振り揺動自在に取り付けられたシャワーカバー６４と、シャワーカバー６４の先端側の第二開口部６９内に螺着固定されたシャワーフェイス７２とが備えられている。
【００２７】
第一ジョイント４２は、外周面に雄ねじ４５が刻設された小径部４４と、内周面に雌ねじ４７が刻設された大径部４６とを連設して形成されており、送り座４８を小径部４４周りに取り付けた上で、小径部４４が分岐配管部３８ａの先端に螺着固定されている。また、第一ジョイント４２の大径部４６内には、その内周面の雌ねじ４７に螺着されて、第二ジョイント５０が固定されている。
【００２８】
第二ジョイント５０には、その一部が第一ジョイント４２の大径部４６内に螺着される円筒部５２と、円筒部５２と反対側に、外形が球状に形成されるとともに、円筒部５２内と連通する連通孔５５がその内部に形成された接続部５４が備えられている。なお、接続部５４の連通孔５５の開口面積は３３．１７ｍｍ２とされている。円筒部５２の外周面には、第一ジョイント４２の雌ねじ４７に螺着可能な雄ねじ５３が刻設されており、この雄ねじ５３よりも接続部５４寄りの円筒部５２外周面には、第一ジョイント４２の大径部４６の開口端面と当接して、第一ジョイント４２に対する第二ジョイント５０のねじ込み量を規制して位置決めを行うフランジ５６が周設されている。そして、螺着された状態の第一ジョイント４２の大径部４６と第二ジョイント５０の円筒部５２の第一開口部５１により、逆止弁ユニット８０を収容固定する収容室５７が形成されている。
【００２９】
第二ジョイント５０の接続部５４には、接続部５４の先端側に円筒状のパッキン５８が配設され、また、接続部５４の基端側にリング状のストッパー６０が配設された状態で、これらの接続部５４、ストッパー６０、パッキン５８を収容保持するようにして、ナット６２が後述するシャワーカバー６４に螺着されており、このようにして第二ジョイント５０にシャワーカバー６４が固定されている。
【００３０】
シャワーカバー６４の一端側の小径部６６には、前述したナット６２が螺着される雄ねじ６７が刻設されている。また、シャワーカバー６４の他端側の大径部６８の第二開口部６９内には、シャワーフェイス７２を螺着固定するための雌ねじ７０が刻設されている。
【００３１】
シャワーカバー６４の他端側の大径部６８の第二開口部６９内に螺着されたシャワーフェイス７２には、図５に示されるように、直径約０．８ｍｍの散水孔７４が６０個開設されており、その開口総面積が３０．１４４ｍｍ２に設けられている。
【００３２】
前述した収容室５７に内蔵された逆止弁ユニット８０は、公知の逆止弁ユニットである。図３に点線及び実線で弁体８２が示されるように、バネ８１によって上方に付勢される弁体８２が上下動して弁口８４が開閉されるように構成されている。弁口８４の開放時の開口面積は１５８ｍｍ２に設けられている。以上、天井用シャワーノズル４０ａについて説明した事項は、その他の天井用シャワーノズル４０ｂ，４０ｃ，４０ｄについても同様である。
【００３３】
次いで、給水システム１の使用方法及び作用効果について説明する。図１に示されるように、シャワーエリア１１の入口５方向から入ってきた利用者を熱感知センサー３が検知すると、制御盤から止水弁２２を所定時間開放するように駆動信号が送信され、熱感知センサー３よりも奥側の天井２に設置された天井用シャワーノズル４０ａ，４０ｂ，４０ｃ，４０ｄから、所定時間内のみ散水が行われる。天井用シャワーノズル４０ａ，４０ｂ，４０ｃ，４０ｄは、主として利用者の頭部及び上半身の洗浄を目的として配設されている。この散水時において、各天井用シャワーノズル４０ａ，４０ｂ，４０ｃ，４０ｄに内蔵された逆止弁ユニット８０においては、上方に付勢されている弁体８２が一次側の水圧により下方に押し下げられて弁口８４が開かれ、散水が可能となる。
【００３４】
そして、散水開始から所定時間が経過すると、制御盤から止水弁２２を閉止するように駆動信号が送信され、止水弁２２が閉止される。この際に、天井用シャワーノズル４０ａ，４０ｂ，４０ｃ，４０ｄにおいては、逆止弁ユニット８０の弁体８２が直ちに着座して弁口８４が閉じられる。全ての天井用シャワーノズル４０ａ，４０ｂ，４０ｃ，４０ｄにおいて同様に弁口８４が閉じられるので、天井用シャワーノズル４０ａ，４０ｂ，４０ｃ，４０ｄのいずれかの逆止弁ユニット８０の弁口８４が開くことにより、この開いた弁口８４からエアが入り込み、その結果、他の天井用シャワーノズル４０ａ，４０ｂ，４０ｃ，４０ｄから滞留水が流れ落ちてしまうことも防止することができる。このようにして、給水システム１において、利用者が通過する際の所定時間のみ散水が行われるように構成されている。
【００３５】
ここで、止水弁２２が閉止された際に、逆止弁ユニット８０の弁口８４が閉止されるようにするために、前述の通り、シャワーフェイス７２の散水孔７４の開口面積ａと、逆止弁ユニット８０の弁口８４よりも二次側の流路において開口面積が最小となる第二ジョイント５０の接続部５４の連通孔５５の開口面積ｂとは、その比率がａ＜ｂとなるように設けられている。ａ≧ｂとすると、止水弁２２の閉止時に、収容室５７内を流れる湯・水の流速の速さにより逆止弁ユニット８０の弁口８４が確実には閉止されない可能性があるため、止水時に確実に弁口８４が閉じられるように構成したものである。このようにａ＜ｂとすることにより、シャワーフェイス７２の散水孔７４における流速と比較して、連通孔５５付近の収容室５７内の流速が遅くなることにより止水時の弁体８２が確実に着座するように設けることができるが、望ましくは、ａ：ｂ＝１：１．１以上とすることが好適である。なお、本実施の形態のように天井用シャワーノズル４０ａ，４０ｂ，４０ｃ，４０ｄに首振り機能を持たせる場合、シャワーカバー６４の首振りの支点となる接続部５４の外径を小さくする必要があり、このために、接続部５４内の連通孔５５の開口面積が制限を受けやすいが、前述したようなシャワーフェイス７２の散水孔７４の開口総面積との比率において連通孔５５の開口面積を確保することにより、逆止弁ユニット８０が確実に閉止されるように構成することができる。
【００３６】
ここで、比較例１として、シャワーフェイス７２の散水孔７４は本実施の形態と同様に、開口総面積を３０．１４４ｍｍ２とし、接続部５４の連通孔５５の開口面積を２８．２６ｍｍ２としたところ、止水時において逆止弁ユニット８０は十分に閉止することができなかった。また、比較例２として、同様にシャワーフェイス７２の散水孔７４は本実施の形態と同じく、開口総面積を３０．１４４ｍｍ２とし、接続部５４の連通孔５５の開口面積を３２．１５３６ｍｍ２としたところ、止水時において逆止弁ユニット８０はほぼ十分に閉止することができた。但し、天井用シャワーノズル４０ａ，４０ｂ，４０ｃ，４０ｄにおける水圧の変動によって確実な閉止の確率が僅かに変動した。次に、本実施の形態と同様な実施例として、シャワーフェイス７２の散水孔７４の開口総面積を３０．１４４ｍｍ２とし、接続部５４の連通孔５５の開口面積を３３．１７ｍｍ２としたところ、止水時において逆止弁ユニット８０は十分に閉止することができた。
【００３７】
本実施の形態は前述のように構成されているが、本発明はこれに限られるものではなく、本発明の趣旨の範囲内において種々の変更が可能である。例えば、前述の例では、逆止弁ユニット８０を用いたが、ユニット化されていない逆止弁を直接配設しても良い。しかしながら、メンテナンスコストを低減するためには前述の例のようにユニット化された逆止弁を用いることが望ましい。また、前述の例では、天井用シャワーノズル４０ａ，４０ｂ，４０ｃ，４０ｄに逆止弁を設けることとしたが、分岐配管部３８ａ，３８ｂ，３８ｃ，３８ｄ内に逆止弁を設けたり、天井用シャワーノズル４０ａ，４０ｂ，４０ｃ，４０ｄと分岐配管部３８ａ，３８ｂ，３８ｃ，３８ｄとの間に逆止弁を介装することとしても良い。しかしながら、同様にメンテナンスコストを低減するためには、前述の例のように吐水装置内に逆止弁を内蔵することが望ましい。
【００３８】
また、天井用シャワーノズル４０ａ，４０ｂ，４０ｃ，４０ｄ以外にも、その他のシャワー装置を含む吐水装置に本発明を適用することとしても良い。また、浴室内、共同浴室内の吐水装置等のプール洗体シャワー以外の給水システムに本発明を用いることとしても良い。
【００３９】
なお、水を散水するプール洗体シャワーとは異なり、浴室内等の湯水を吐水する給水システムに適用する場合、止水弁から二次側の配管内にとどめられた滞留水が冷えて、再度散水を開始した際に利用者が意図しない冷水を浴びてしまうなどの問題が考えられる。このような給水システムの場合には、本発明を適用することにより止水時には直ちに吐水を停止できるように構成するとともに、配管内の滞留水については、吐水停止後十分な所定の時間を経過した後に、電磁駆動される止水弁を開放して利用者の目に付き難い位置に設けられた排出口等から滞留水を排出するなどとしても良い。
【産業上の利用可能性】
【００４０】
本発明は、単水栓、湯水混合水栓、浄水器付き水栓等、種々の水栓、又はシャワー装置、通常の吐水口等、種々の吐水装置を備えた給水システムに広く利用することができる。
【符号の説明】
【００４１】
１；給水システム、２；天井、３；熱感知センサー、５；入口、６；出口、１０；機械室、１１；シャワーエリア、１２；給湯ユニット、１６；配管、２２；止水弁、３０；天井シャワー配管、３２；天井用シャワー本体、３４；接続部、３６；周回配管部、３８ａ，３８ｂ，３８ｃ，３８ｄ；分岐配管部、３９；吐水装置用配管、４０ａ，４０ｂ，４０ｃ，４０ｄ；天井用シャワーノズル、４２；第一ジョイント、４４；小径部、４５；雄ねじ、４６；大径部、４７；雌ねじ、４８；送り座、５０；第二ジョイント、５１；第一開口部、５２；円筒部、５３；雄ねじ、５４；接続部、５５；連通孔、５６；フランジ、５７；収容室、５８；パッキン、６０；ストッパー、６２；ナット、６４；シャワーカバー、６６；小径部、６７；雄ねじ、６８；大径部、６９；第二開口部、７０；雌ねじ、７２；シャワーフェイス、７４；散水孔、８０；逆止弁ユニット、８１；バネ、８２；弁体、８４；弁口、Ａ；止水弁、Ｂ；吐水装置、Ｃ；吐水装置用配管、Ｄ；床面、Ｅ；分岐配管部、Ｆ；逆止弁。
【図１】
2012210242.tif 000003
【図２】
2012210242.tif 000004
【図３】
2012210242.tif 000005
【図４】
2012210242.tif 000006
【図５】
2012210242.tif 000007
【図６】
2012210242.tif 000008